(57)【特許請求の範囲】
【請求項１】
読取最大主走査長及び読取最大副走査長によって読み取り可能な最大原稿サイズを規定する原稿読取面に載置された原稿に対して、画像読取ユニットを読取副走査方向に移動させながら、読取主走査方向における原稿の画像の読み取りを繰り返すことによって、原稿の画像を読み取る画像読取部と、
所定サイズの複数の記録紙を積層状態で収容する給紙カセットと、
この給紙カセットから供給された記録紙を記録副走査方向に移動させながら、記録主走査方向における画像の記録を繰り返すことによって、前記画像読取部で読み取られた画像を記録紙に記録する画像記録部と、を備えた画像処理装置であって、
前記読取最大主走査長が、前記読取最大副走査長よりも長く設定されており、
前記最大原稿サイズは、前記給紙カセット内に収容可能な記録紙の最大記録紙サイズと同じであり、
前記読取主走査方向が、前記記録主走査方向と平行に設定されており、
前記給紙カセットは、この給紙カセット内に収容可能な最大サイズの記録紙が前記画像記録部へ供給されるとき、この記録紙の長辺が前記記録主走査方向と平行となるように記録紙を前記画像記録部へ送り出すように構成されており、
前記画像読取部，前記画像記録部，及び前記給紙カセットは、上下方向に配置されており、それぞれを収容する筐体部分のサイズが平面視において揃っていることを特徴とする画像処理装置。
【請求項２】
前記読取主走査方向及び前記記録主走査方向が、使用時に使用者が立つ前記画像処理装置の正面から背面へ向かう奥行き方向に沿っていることを特徴とする請求項１に記載の画像処理装置。
【請求項３】
前記最大原稿サイズ及び前記最大記録紙サイズがＡ４サイズであることを特徴とする請求項１に記載の画像処理装置。
【請求項４】
前記最大原稿サイズよりも大きな原稿を、前記画像読取部に対して読取副走査方向に搬送可能な自動原稿送り装置を更に備えたことを特徴とする請求項１乃至３のいずれか１項に記載の画像処理装置。
【請求項５】
前記画像記録部に対して前記記録副走査方向に、前記給紙カセット内に収容可能な前記最大記録紙サイズの記録紙よりも大きな記録紙を搬送可能な手差しトレイを更に備えたことを特徴とする請求項４に記載の画像処理装置。
【発明の詳細な説明】
【技術分野】
【０００１】
本発明は、画像処理装置に係り、特にＦＢＳ（Flat Bed Scanner）方式によって原稿の画像を読み取り、読み取った画像を画像記録部によって記録紙に記録（印刷）して排出することが可能な画像処理装置に関する。
【背景技術】
【０００２】
従来、複写機，スキャナ，プリンタ，ファクシミリ等の機能を備えた複合機においては、Ａ３サイズまでの大きさの原稿を画像読取部で読み取り、Ａ３サイズ以下の大きさの記録紙に読み取り画像を印刷出力可能としたタイプ（以下、「Ａ３機」という）が使用されている。Ａ３機では、原稿を載置するための原稿読取面はＡ３サイズに対応した大きさに設定されており、使用者はＦＢＳ方式を用いて最大でＡ３サイズの原稿の画像を画像読取部に読み取らせることができる。また、Ａ３機では、使用者はＡＤＦ（Automatic Document Feeder）を利用して原稿の画像を画像読取部に読み取らせることができる（ＡＤＦ方式）。
【０００３】
また、ＦＢＳ方式によって読み取り可能な最大原稿サイズがＡ４サイズであり、同サイズ以下の大きさの記録紙に印刷出力可能とした複合機も知られている（以下、「Ａ４機」という）。このようなＡ４機は、原稿読取面がＡ４サイズに対応した大きさに設定されている。
【０００４】
オフィス等で使用される原稿及び記録紙は、ほとんどがＡ４サイズであり、Ａ３サイズの原稿及び記録紙は使用される頻度が極めて低い。しかしながら、頻度は低いながらもＡ３サイズの原稿及び記録紙を使用する機会があるので、Ａ３機が比較的よく使用されている。
【０００５】
一方、小規模なオフィスや家庭では、使用頻度の低いＡ３サイズのために、大きな設置面積を要するＡ３機を設置する余裕がない場合がある。したがって、小さな設置面積で済むＡ４機への需要も同様に存在する。
【０００６】
このようなＡ３機及びＡ４機では、ＦＢＳ用の矩形の原稿読取面が複合機の正面に立つ使用者に対して横方向（左右方向）に長くなるように設けられている。このため、上記複合機では、ＦＢＳ方式やＡＤＦ方式を用いて最大原稿サイズの原稿（それぞれＡ３、Ａ４）の画像を読み取る場合の読取主走査方向は原稿の短辺方向に設定されており、読取副走査方向は原稿の長辺方向に設定されている。すなわち、画像読取部の構成部品（例えば、ミラーや読取ヘッド）が原稿に対して原稿の長辺方向に相対的に移動して、原稿の画像を読み取るようになっている。
【０００７】
また、上記複合機では、給紙カセットに収容される記録紙の最大記録紙サイズは、ＦＢＳ方式で読取可能な最大原稿サイズと同サイズである。そして、読み取られた原稿の画像を記録（印刷）する画像記録部において、最大記録紙サイズの記録紙に記録する場合の記録主走査方向は記録紙の短辺方向に設定されており、記録副走査方向は記録紙の長辺方向に設定されている。すなわち、記録紙を長手方向に紙送りして、感光ドラム等を用いて記録紙に記録（印刷）するようになっている。
【０００８】
一方、上記複合機と同様に、矩形の原稿読取面が使用者に対して横方向に長くなるように設定されている複合機において、読み取りに要する時間を短縮するため、読取主走査方向を原稿読取面に載置された最大原稿サイズの原稿の長辺方向に設定したものが提案されている（特許文献１参照）。すなわち、画像読取部の構成部品が原稿に対して原稿の短辺方向に相対的に移動するようになっている。
【０００９】
また、これに合わせて、特許文献１の複合機に備えられたＡＤＦ（自動原稿送り装置）は、装置上面の反使用者側（装置の背面側）の端部に配置されているので、ＡＤＦに載置された原稿は、使用者から離れる方向（装置の奥行き方向における背面へ向かう方向）に搬送され、画像読取部によって読み取られた後、再び使用者側へ戻ってくるようになっている。なお、特許文献１の複合機では、読取主走査方向は原稿の長辺方向に設定されているが、記録主走査方向は、従来のＡ３機と同様に記録紙の短辺方向に設定されている。
【先行技術文献】
【特許文献】
【００１０】
【特許文献１】特開２００４−２０５９１８号公報
【発明の概要】
【発明が解決しようとする課題】
【００１１】
上述のＡ３機及びＡ４機は、読取副走査方向が最大原稿サイズの原稿の長辺方向に沿うと共に、記録副走査方向が最大記録紙サイズの記録紙の長辺方向に沿っているため、読み取り及び記録（印刷）時に、読取副走査方向及び記録副走査方向に沿って原稿を長辺分の長さだけ相対的に移動させる必要がある。このため、原稿及び記録紙１枚当たりで、読み取り及び記録紙への記録（印刷）に長い時間を要する。これにより、従来のＡ３機及びＡ４機では、読み取りや記録に用いる部品の使用時間が長く、これらの部品の交換やメンテナンスの頻度が高くなるという問題があった。例えば、画像読取部内の光源は長い点灯時間を要し、また、画像記録部内の感光ドラムは記録紙が接触する時間が長くなって磨耗が進行し使用可能期間が短くなる。
【００１２】
これに対して、特許文献１に記載の複合機では、読取副走査方向が原稿の短辺方向に設定されているため、読み取り時間を短縮することができる。しかしながら、特許文献１の複合機では、記録副走査方向が記録紙の長辺方向に設定されているため、記録紙への記録に長時間を要するので、記録に用いる部品の交換やメンテナンスの頻度が高いという問題点は解消できない。
【００１３】
なお、特許文献１の複合機では、ＡＤＦが装置上面の反使用者側（装置背面側）の端部に配置されているため、ＡＤＦで紙詰まりが生じたときに、紙詰まりした原稿を取り除くのに非常に手間が掛かるという新たな問題が生じる。特に、装置を壁に向けて配置する場合には、詰まった原稿へのアクセスが難しく、メンテナンス性が極めて悪くなる。
【００１４】
本発明は、このような課題を解決するためになされたものであり、原稿の読取処理及び記録紙への記録処理を迅速に実行可能であり、画像読取部及び画像記録部の部品の長寿命化を図ることができる画像処理装置を提供することを目的としている。
【課題を解決するための手段】
【００１５】
上記の目的を達成するために、本発明は、読取最大主走査長及び読取最大副走査長によって読み取り可能な最大原稿サイズを規定する原稿読取面に載置された原稿に対して、画像読取ユニットを読取副走査方向に移動させながら、読取主走査方向における原稿の画像の読み取りを繰り返すことによって、原稿の画像を読み取る画像読取部と、所定サイズの複数の記録紙を積層状態で収容する給紙カセットと、この給紙カセットから供給された記録紙を記録副走査方向に移動させながら、記録主走査方向における画像の記録を繰り返すことによって、画像読取部で読み取られた画像を記録紙に記録する画像記録部と、を備えた画像処理装置であって、読取最大主走査長が、読取最大副走査長よりも長く設定されており、最大原稿サイズは、給紙カセット内に収容可能な記録紙の最大記録紙サイズと同じであり、読取主走査方向が、記録主走査方向と平行に設定されており、給紙カセットは、この給紙カセット内に収容可能な最大サイズの記録紙が画像記録部へ供給されるとき、この記録紙の長辺が記録主走査方向と平行となるように記録紙を画像記録部へ送り出すように構成されており、画像読取部，画像記録部，及び給紙カセットは、上下方向に配置されており、それぞれを収容する筐体部分のサイズが平面視において揃っていることを特徴としている。
【００１６】
このように構成された本発明によれば、読取最大主走査長が読取最大副走査長よりも長く設定されているので、読取最大副走査長が読取最大主走査長よりも長く設定された場合と比べて、読取処理の際に画像読取部の画像読取ユニットが読取副走査方向に物理的に移動する距離を短くすることができ、読取処理に掛かる処理時間を短縮することが可能となる。また、これに伴って、画像読取部の構成部品の長寿命化を図ることが可能となる。
【００１７】
また、本発明では、給紙カセットから送り出される最大記録紙サイズの記録紙の長辺が、記録主走査方向と平行な状態で画像記録部へ送り出されるので、最大記録紙サイズの記録紙の長辺が記録主走査方向に沿うと共に、記録紙の短辺が記録副走査方向に沿った状態で記録処理が行われる。これにより、最大記録紙サイズの記録紙の短辺が記録主走査方向に沿うと共に、最大記録紙サイズの記録紙の長辺が記録主走査方向に沿った状態で記録処理が行われる場合と比べて、記録処理の際に画像記録部の記録部分（例えば、感光ドラム，インクジェットヘッド等）が記録紙に対して記録副走査方向に相対的に移動する距離を短くすることができ、記録処理に係る処理時間を短縮することが可能となる。また、これに伴って、画像記録部の構成部品の長寿命化を図ることが可能となる。
【００１８】
また、本発明では、更に、読取主走査方向が、記録主走査方向と平行に設定されているので、画像読取部と画像記録部の配置方向を揃えることができ、画像読取部と画像記録部とを上下方向に揃えてコンパクトに配置することが可能となる。
また、本発明では、最大原稿サイズは、給紙カセット内に収容可能な記録紙の最大記録紙サイズと同じである。したがって、本発明によれば、最大原稿サイズと最大記録紙サイズとが同サイズであるので、画像読取部と画像記録部とのサイズを揃えることができ、画像読取部と画像記録部を上下方向に積層して配置することにより、装置レイアウトのコンパクト化を図ることができる。
【００１９】
また、本発明において好ましくは、読取主走査方向及び記録主走査方向が、使用時に使用者が立つ画像処理装置の正面から背面へ向かう奥行き方向に沿っている。
このように構成された本発明によれば、装置の奥行きは最大記録紙サイズよりも大きなサイズに対応した複合機と同じに保持しつつ、装置の左右方向の幅を狭くすることができる。
【００２１】
また、本発明において好ましくは、最大原稿サイズ及び最大記録紙サイズがＡ４サイズである。
このように構成された本発明によれば、最大原稿サイズ及び最大記録紙サイズがＡ４サイズであるので、オフィス等で通常使用されるＡ４サイズの原稿及び記録紙に対応しつつ、装置の設置面積を小さくして小型化を図ることができる。
【００２２】
また、本発明において好ましくは、最大原稿サイズよりも大きな原稿を、画像読取部に対して読取副走査方向に搬送可能な自動原稿送り装置を更に備える。
このように構成された本発明によれば、画像読取部に対して、ＦＢＳ方式での読取副走査方向と同じ方向で原稿を搬送可能な自動原稿送り装置（ＡＤＦ）を備えたことにより、ＦＢＳ方式で読み取ることが可能な最大原稿サイズの原稿よりも大きなサイズの原稿を読み取らせることが可能となる。
【００２３】
例えば、本発明では、最大原稿サイズがＡ４サイズである場合、Ａ３サイズの原稿を画像読取部で読み取る必要性が生じたときには、ＡＤＦ方式によりＡ３サイズの原稿を読み取ることができる。したがって、本発明では、例えば、Ａ３サイズに対応した読取処理が可能であるにもかかわらず、装置サイズはＡ４サイズに対応したコンパクトなサイズにすることができる。
【００２４】
また、本発明において好ましくは、画像記録部に対して記録副走査方向に、給紙カセット内に収容可能な最大記録紙サイズの記録紙よりも大きな記録紙を搬送可能な手差しトレイを更に備える。
このように構成された本発明によれば、手差しトレイを使用することにより、給紙カセットに収納可能な最大記録サイズよりも大きなサイズの記録紙に画像記録部によって記録（印刷）させることができる。また、本発明では、ＦＢＳ方式で読み取り可能な最大原稿サイズに比べて、記録（印刷）可能な記録紙のサイズを大きく設定することができる。したがって、本発明では、例えば、Ａ３サイズに対応した記録処理が可能であるにもかかわらず、装置サイズはＡ４サイズに対応したコンパクトなサイズにすることができる。
【発明の効果】
【００２５】
本発明の画像処理装置によれば、原稿の読取処理及び記録紙への記録処理を迅速に実行可能であり、画像読取部及び画像記録部の部品の長寿命化を図ることができる。
【図面の簡単な説明】
【００２６】
【図１】本発明の第１の実施形態の画像処理装置の正面図である。
【図２】本発明の第１の実施形態の画像処理装置の構成を示す正面側から見た説明図である。
【図３】本発明の第１の実施形態の画像処理装置の構成を示す右側から見た説明図である。
【図４】本発明の第１の実施形態の画像処理装置の平面図である。
【図５】本発明の第１の実施形態の給紙カセットの説明図である。
【図６】本発明の第２の実施形態の画像処理装置の正面図である。
【図７】本発明の第２の実施形態の画像処理装置の構成を示す正面側から見た説明図である。
【図８】本発明の第２の実施形態の画像処理装置の改変例である。
【図９】本発明の第２の実施形態の画像処理装置の更なる改変例である。
【発明を実施するための形態】
【００２７】
以下、添付図面を参照して本発明の実施形態について説明する。
先ず、本発明の第１の実施形態を図１−図５を参照して説明する。図１は画像処理装置の正面図、図２は画像処理装置の構成を示す正面側から見た説明図、図３は画像処理装置の構成を示す右側から見た説明図、図４は画像処理装置の平面図、図５は給紙カセットの説明図である。
【００２８】
図１−図３に示す本実施形態の画像処理装置１は、複写機能，スキャナ機能，プリンタ機能，ファクシミリ機能等を備えた複合機である。本実施形態の画像処理装置１は、Ａ４サイズの原稿の画像の読み取り、及び、Ａ４サイズの記録紙への記録（印刷）に適合されている。図２に示すように、画像処理装置１は、画像読取部１０と、画像記録部２０と、原稿送出部３０と、給紙部４０と、排出部５０と、操作部６０を備えている。また、図１に示すように、画像読取部１０の一部，画像記録部２０，給紙部４０，排出部５０は、略直方体の形状の筐体（装置本体）２内に収容されている。
操作部６０は、原稿サイズ，記録紙サイズ，拡大縮小倍率，複写枚数，ＦＡＸ番号等を入力及び表示するための操作パネルである。
【００２９】
画像読取部１０は、原稿の画像を読み取るためのものであり、図２に示すように、原稿載置板１１と、原稿載置板１１を覆う原稿台カバー１２と、原稿載置板１１の下部に配置された原稿読取ユニット１３を備えている。
【００３０】
原稿載置板１１は、ＦＢＳ方式によって原稿を読み取る際に原稿をその上に載置するための透明な板状の部材であり、装置本体２の最上面に配置されている。原稿載置板１１の原稿載置面が原稿読取面１１ａ（図４参照）であり、最大でＡ４サイズの原稿を読み取り可能とする大きさに適合されている。本実施形態では、原稿載置板１１は、平面視で矩形であり、短辺が左右方向（Ａ方向）に平行に配置され、長辺が奥行き方向（図４のＢ方向）に平行に配置されている。
【００３１】
原稿台カバー１２は、装置本体２の上部に配置されている。原稿台カバー１２は、原稿載置板１１上に載置された原稿を原稿載置板１１との間に固定状態で挟み込むように構成されており、装置本体２の上面の背面側端部に設けられたヒンジ（図示せず）を回動中心として回動可能となっている。
【００３２】
なお、本明細書で、複合機１の正面とは図１で示されている側面（すなわち、操作部６０が設けられ、使用者が使用時に立つ側の側面）を意味し、複合機１の背面とは正面に対して反対側の側面を意味する。また、幅方向又は左右方向とは図１における左右方向であり、奥行き方向とは図１における紙面に直交する方向（すなわち、正面から背面に向かう方向）である。また、複合機１の左側及び右側は、それぞれ図１の左側及び右側を意味する。
【００３３】
原稿読取ユニット１３は、装置本体２の最上部にわたって配置されており、原稿に光を照射する光源１４と、原稿からの反射光の光路の経路を変更するミラー１５ａ，１５ｂ，１５ｃと、光源１４及びミラー１５ａ，１５ｂ，１５ｃを読取副走査方向（左右方向Ａ）に移動させる移動機構（図示せず）と、ミラー１５ｃからの光を収束させる集光レンズ１６と、集光レンズ１６からの光に基づいて原稿の画像を読み取る撮像素子（ＣＣＤ）１７を備えている。撮像素子１７で読み取られた画像データは、画像メモリ（図示せず）で記憶される。
【００３４】
本実施形態では、読取処理時に、原稿読取ユニット１３は、原稿のサイズに応じて選択された読取領域内の原稿の画像データを取得する。詳しくは、図示しない制御部からの駆動信号に基づいて、原稿読取ユニット１３は、移動機構によって、載置された原稿の短辺方向の一端側から他端側まで読取副走査方向Ａに沿ってミラー１５ａ及び光源１４を移動させる。この間、移動機構は、ミラー１５ｂ及び１５ｃを、ミラー１５ａの移動距離の半分の距離だけ読取副走査方向Ａに移動させる。
【００３５】
そして、原稿読取ユニット１３は、ミラー１５ａが読取副走査方向Ａに移動する間、載置された原稿の長辺方向の一端側から他端側まで、読取主走査方向（図４の奥行き方向Ｂ）に原稿を単位ピクセル毎に走査し、撮像素子１７によって単位ピクセル毎の部分的な原稿の画像データを取得することを繰り返す。これにより、ミラー１５ａの読取副走査方向Ａへの移動が完了した時点で、多数のピクセルからなる原稿全体の画像データが得られる。
なお、主走査により、原稿の画像の部分を構成する画素（ピクセル）毎の画像データが主走査方向に順次に取得（又は印刷）され、副走査により、主走査の位置が紙送り方向又はスキャナヘッドの送り方向（すなわち副走査方向）に移動される。
【００３６】
なお、本実施形態では、縮小光学方式の読取方式を採用しているが、これに限らず、ＣＩＳセンサを用いた等倍光学方式（密着センサ方式）を採用してもよい。また、本実施形態では、２キャリッジ方式の光学系移動方式を採用しているが、密着センサ方式の場合には１キャリッジ方式を採用することができる。
【００３７】
画像記録部２０は、外周面に光導電膜を有し回転軸２１ａを中心として回動する感光ドラム２１と、この感光ドラム２１の光導電膜を所定電位に一様帯電させる帯電器２２と、感光ドラム２１上に静電潜像を形成する露光器２３と、感光ドラム２１上の静電潜像にトナーを供給して、静電潜像を現像する現像器２４と、トナー画像を感光ドラム２１上から記録紙上に転写させる転写ローラ２５と、記録紙上のトナー画像を加熱定着させる定着ローラ２６と、給紙部４０から記録紙を感光ドラム２１に送り出す給紙ローラ２７ａ，２７ｂと、記録紙の向きを整えるレジストローラ２８と、記録紙を排出部５０へ排出する排出ローラ２９を備えている。
【００３８】
画像記録部２０は、画像メモリから読み込んだ画像データを記録紙に印刷するように構成されている。画像データには、画像読取部１０で取得された画像データ、送受信装置（図示せず）を介して外部（ファクシミリ、ＰＣ等）から受信した画像データが含まれる。
【００３９】
画像記録部２０は、感光ドラム２１に対して記録紙を記録副走査方向に移動させながら、感光ドラム２１の回転軸２１ａの延びる方向に沿った記録主走査方向における部分的な画像の記録を繰り返すことによって、画像データに基づく全画像を記録紙に記録（印刷）する。
【００４０】
画像記録部２０を構成する上記部品は、後述する胴内排出空間５１を避けるため、現像器２４等を除いて、主に装置本体２内の右側空間に積み上げられるように配置されている。すなわち、装置本体２内の右側に重量物が配置されている。このため、装置本体２は、これら重量物を支持するように、右側の剛性が高くなるように構成されている。
なお、本実施形態では、電子写真方式のプリンタ（レーザスキャン方式又はＬＥＤヘッド方式）を採用しているが、これに限らず、インクジェット方式のプリンタや、サーマルプリンタ等を採用してもよい。
【００４１】
原稿送出部（ＡＤＦ）３０は、複数の原稿を載置可能な給紙トレイ３１と、給紙トレイ３１上の原稿を下流側へ給紙するピックアップローラ３２と、給紙トレイ３１上の原稿を１枚ずつ分離供給する分離ローラ３３と、分離された原稿の向きを整えるレジストローラ３４と、原稿を下流側へ送り出す搬送ローラ３５と、送り出された原稿が上面を通過する幅狭で細長い透明な透光板３６と、排出された原稿を収容する排紙トレイ３７を備えている。原稿送出部３０は、ＡＤＦ（自動原稿送り装置）を構成している。
原稿送出部３０は、主に原稿台カバー１２に一体に取付けられているが、透光板３６は、原稿載置板１１の左側の端部に沿って僅かに離間して配置されている。
【００４２】
給紙部４０は、所定の最大記録紙サイズ（本例ではＡ４サイズ）以下のサイズの複数の記録紙３を積層状態で収容する給紙カセット４１と、上記最大記録紙サイズよりも大きな所定の拡張サイズ（本例ではＡ３サイズ）以下のサイズの記録紙を収容可能な手差しトレイ４３を備えている。本実施形態では、記録紙３はロール紙ではなく規定のサイズに裁断されたカット紙である。なお、本実施形態では、給紙カセットが１つのみ設けられているが、これに限らず、複数の給紙カセットを設けてもよい。
【００４３】
給紙カセット４１は、画像記録部２０の積層配置された構成部品を避けるように、装置本体２内で最下部に配置されている。給紙カセット４１は、装置本体２の正面側から背面側へ向けて装置本体２内へ挿入可能となっている。
また、手差しトレイ４３は、装置本体２の右側に配置されており、収納及び展開可能に構成されている。手差しトレイ４３は、装置本体２内に収容された状態では、装置本体２の右側の側壁の一部を構成する。図２では、手差しトレイ４３は、折り畳まれて装置本体２内に収容された状態である。
【００４４】
排出部５０は、画像記録部２０で印刷された記録紙を収容するように、装置本体２内に設けられた胴内排出空間５１を有する。この胴内排出空間５１は、縦方向に積層配置された画像記録部２０の左側、且つ、画像読取部１０と給紙カセット４１との間の空間である。そして、胴内排出空間５１は、原稿読取ユニット１３の下側壁５１ａと、画像記録部２０の上側壁５１ｂ及び縦壁５１ｃによって、画像読取部１０及び画像記録部２０から仕切られており、且つ、装置本体２の正面側壁と左側側壁が開放されている。排出部５０は、胴内排出部を構成している。
【００４５】
次に、図４を参照して、本実施形態の複合機１における読取主走査方向及び読取副走査方向について説明する。
図４に示すように、ＦＢＳ方式で用いる原稿載置板１１と、ＡＤＦ方式で用いる長尺な透光板３６は、装置本体２の最上面を構成しており、互いに並列して配置されている。
【００４６】
原稿載置板１１は、本例ではＡ４サイズの原稿に対応した大きさに適合されており、ＦＢＳ方式での最大読取領域を規定している。すなわち、最大読取領域内で読み取り可能な最大原稿サイズはＡ４サイズである。この最大読取領域は矩形であり、短辺が装置本体２の左右方向Ａと平行であり、長辺が装置本体２の奥行き方向Ｂと平行である。また、図４に示すように、この最大読取範囲は、原稿載置板１１の長辺長さ（読取最大主走査長Ｌｍ）と、原稿載置板１１の短辺長さ（読取最大副走査長Ｌｖ）によって規定されている。
一方、細長い形状の透光板３６は、原稿載置板１１の長辺長さと同じ長さを有しており、原稿載置板１１の長辺に沿って奥行き方向Ｂと平行に配置されている。
【００４７】
したがって、図４から分かるように、本実施形態の複合機１は、奥行きよりも左右方向の幅の方が短く構成されている。すなわち、従来のＡ３機と比べて左右の幅が狭くコンパクトであり、設置面積が小さくなっている。
【００４８】
上述のように、画像読取部２０のミラー１５ａ及び光源１４は、最大読取範囲を走査可能なように、装置本体２内で左右方向Ａに移動するように構成されている。よって、ＦＢＳ方式における読取副走査方向は方向Ａであり、読取主走査方向は方向Ｂである。
【００４９】
また、ＡＤＦ方式によって原稿が読み取られる場合、原稿送出部（ＡＤＦ）３０によって原稿は、透光板３６上を通過する。このとき、ミラー１５ａ及び光源１４は静止状態で透光板３６の下部に位置しており、画像読取部１０は透光板３６を通して原稿の画像を読み取る。よって、ＡＤＦ方式による読取主走査方向及び読取副走査方向は、それぞれＦＢＳ方式と同様に方向Ｂ及び方向Ａである。
【００５０】
次に、図３及び図５を参照して、本実施形態の複合機１における記録主走査方向と記録副走査方向について説明する。
図５に示すように、給紙部４０の給紙カセット４１は、収容可能な最大記録紙サイズの記録紙３の長辺が装置本体２の奥行き方向Ｂと平行であり、短辺が装置本体２の左右方向Ａと平行であるように記録紙３を収容している。記録紙３は、矢印Ｃで示すように、短辺方向に沿って給紙ローラ２７ａによって画像記録部２０へ給紙される。本実施形態では、最大記録紙サイズは、最大原稿サイズと同じサイズである。
【００５１】
図３に示されているように、画像記録部２０の感光ドラム２１は、その回転軸２１ａが装置本体２の奥行き方向Ｂと平行になるように配置されている。また、回転軸２１ａの延びる方向は、給紙カセット４１に収容された最大記録紙サイズの記録紙３の長辺方向と平行である。
【００５２】
したがって、最大記録紙サイズの記録紙３は、画像記録部２０に供給されるとき、両短辺が進行方向に沿った状態で、一方の長辺側から感光ドラム２１と接触する。そして、記録紙３は、感光ドラム２１と転写ローラ２５との間を通過して画像が転写され、その後定着ローラ２６によって画像が定着される。したがって、給紙カセット４１から送り込まれた最大記録紙サイズの記録紙３は、長辺方向（すなわち、回転軸２１ａの延びる方向）が記録主走査方向であり、短辺方向（すなわち、紙送り方向）が記録副走査方向である。また、記録紙３の記録最大主走査長ｌｍは長辺長さであり、記録最大副走査長ｌｖは短辺長さである。
よって、本実施形態では、読取主走査方向と記録主走査方向が平行に設定されている。
【００５３】
なお、電子写真方式以外の方式を採用する場合、例えばインクジェット方式を採用する場合は、記録時にインクジェットヘッドが移動する方向が回転軸２１ａの延びる方向と一致するので、上記と同様に、最大記録紙サイズの記録紙３の長辺方向が記録主走査方向となる。
【００５４】
次に、本実施形態の複合機１の作用について説明する。
先ず、使用者がＡ４サイズ（最大原稿サイズ）の原稿をＦＢＳ方式で複写する場合について説明する。この場合、使用者がＡ４サイズの原稿を原稿読取面１１ａに載置し、操作部６０を操作することにより、複写機１は原稿の画像の読取処理、及び、記録処理を実行する。
制御部は、原稿のサイズを原稿サイズセンサ（図示せず）によって判定し、原稿読取ユニット１３を作動させて原稿の画像を読み取り、読み取った画像データを画像メモリに取り込む。
【００５５】
このとき、本実施形態では、読取主走査方向が原稿の長辺に沿っており、読取副走査方向が原稿の短辺に沿っているので、ミラー等を副走査方向に向けて移動させる距離が短くなる。このため、読取処理に掛かる時間を短縮し、迅速に処理を行うことができる。更に、光源１４や移動機構の作動時間（原稿１枚当たり）が短くて済むので、光源１４や機械部品の交換やメンテナンスの頻度を低減することができる。
【００５６】
画像データの取り込みと略同時に、制御部は、画像記録部２０を作動させ、給紙カセット４１からＡ４サイズの記録紙を画像記録部２０へ送り込ませ、記録紙に画像を印刷させる。
このとき、本実施形態では、記録主走査方向が記録紙の長辺に沿っており、記録副走査方向が記録紙の短辺に沿っているので、記録紙が画像記録部２０の感光ドラム２１を通過する時間が短くなる。このため、記録紙が画像記録部２０で処理される時間を短縮し、記録処理を迅速に行うことができる。更に、感光ドラム２１と記録紙との接触時間又は接触長さが記録紙１枚当たりで短くなり、また、駆動機構の作動時間が短くて済むので、感光ドラム２１や駆動機構の交換やメンテナンスの頻度を低減することができる。
【００５７】
本実施形態では、ＦＢＳ方式は、最大原稿サイズ（本例ではＡ４）までのサイズの原稿の画像読取処理に対応している。これは、一般に使用されるほとんどの原稿のサイズが、最大原稿サイズ（Ａ４サイズ）であるからであり、最大原稿サイズを超えるサイズ（例えば、Ａ３サイズ）の原稿の読取処理は、通常不要であるからである。このように、本実施形態では、ＦＢＳ方式による原稿読取処理をＡ４サイズに限定することにより、装置のサイズ、特に装置の設置面積を小さくし、小規模なオフィスや家庭でも使用可能とすることができる。
【００５８】
上述のように一般に使用される原稿のサイズは、ほとんどがＡ４サイズであるが、低い頻度でＡ３サイズの原稿を複写する必要性が生じる場合がある。この場合、本実施形態の複写機１では、以下に述べるようにＡＤＦ方式によって、Ａ３サイズの原稿の複写を可能としている。
【００５９】
使用者がＡ３サイズの原稿をＡＤＦ方式で複写する場合について説明する。この場合、使用者がＡ３サイズの原稿をＡＤＦ３０の給紙トレイ３１に載置し、且つ、手差しトレイ４３を展開してＡ３サイズの記録紙を手差しトレイ４３に載置した後、操作部６０を操作することにより、複写機１は原稿の画像の読取処理、及び、記録処理を実行する。
【００６０】
制御部は、原稿のサイズを原稿サイズセンサ（図示せず）によって判定し、ＡＤＦ３０及び原稿読取ユニット１３を作動させて原稿の画像を読み取り、読み取った画像データを画像メモリに取り込む。
画像データの取り込みと略同時に、制御部は、手差しトレイ４３からＡ３サイズの記録紙を画像記録部２０へ送り込み、画像記録部２０で記録紙に画像を印刷する。
【００６１】
本実施形態では、ＦＢＳ方式によって読み取り可能な最大原稿サイズはＡ４であるが、ＡＤＦ方式によってＡ４サイズよりも大きいＡ３サイズの原稿を読み取ることができ、Ａ３サイズの原稿を手差しトレイ４３から供給されるＡ３サイズの記録紙に複写することができる。したがって、本実施形態では、ＦＢＳ方式で用いられる原稿読取面１１ａのサイズに比べて、より大きなサイズの原稿を複写することができる。すなわち、本実施形態の複合機１は、Ａ３サイズの読取処理に対応しつつ、装置本体２はＡ４サイズに対応したコンパクトなサイズとすることができる。
【００６２】
なお、上記説明では、同一の倍率で原稿から記録紙に複写する場合を説明したが、これに限らず、操作部６０の設定により、拡大又は縮小倍率で複写するように構成してもよい。この場合、本実施形態の複合機１では、給紙カセット４１又は手差しトレイ４３から読取原稿と異なるサイズの記録紙が供給され、この記録紙に拡大又は縮小画像を記録（印刷）することができる。
また、上記説明では、ＡＤＦ方式でＡ３サイズの原稿を読み取る場合について説明したが、これに限らず、最大原稿サイズ（Ａ４サイズ）の原稿を含む他のサイズの原稿をＡＤＦ方式で読み取るように構成することができる。
【００６３】
このように、本実施形態の複合機１は、Ａ４機と同じ設置面積でありながら、Ａ３機と同様にＡ３サイズまでの大きさの原稿の読み取りを行うことが可能であり、小規模なオフィス等の実情に即して小型化を図りつつ、充分な実用性を備えることができる。
また、本実施形態の複合機１は、Ａ３機との部品の共通化を図ることができるので、製造コストを低減することができる。
【００６４】
また、本実施形態の複写機１は、矩形の原稿読取面１１ａの短辺が装置本体２の左右方向Ａに沿っており、長辺が奥行き方向Ｂに沿っている。そして、読取主走査方向が奥行き方向Ｂに沿い、読取副走査方向が左右方向Ａに沿っている。更に、この読取副走査方向に原稿を送り込むように、ＡＤＦ３０を、装置本体２の左右方向の端部に沿って配置することができる。このように構成されているので、ＡＤＦ３０で紙詰まりが生じた場合、使用者は正面側からＡＤＦ３０に容易にアクセスして紙詰まり状況を解消することができ、良好なメンテナンス性を確保することが可能となる。なお、本例では、ＡＤＦ３０が左端部に配置されているが、右端部に配置してもよい。
【００６５】
なお、原稿読取面１１ａの長辺が装置本体２の左右方向に沿うように構成され、且つ、読取主走査方向が原稿読取面１１ａの長辺方向に設定される場合には、ＡＤＦ３０は、装置本体２の背面側端部に配置されることになる。この場合、ＡＤＦ３０で紙詰まりが生じると、使用者はＡＤＦ３０にアクセスし難く、メンテナンス性が劣悪となってしまう。
【００６６】
また、上記実施形態では、複合機１は、原稿読取面１１ａのサイズがＡ４サイズに適合されているが、これに限らず、原稿読取面１１ａのサイズを他のサイズに適合させてもよい。すなわち、原稿読取面１１ａのサイズを、例えば、Letterサイズ（８．５×１１インチ），Legalサイズ（８．５×１４インチ），Ledgerサイズ（１１×１７インチ），Ｂ４サイズ，Ａ３サイズ等に適合させるように、本実施形態の複写機１を構成してもよい。この場合、いずれのサイズにおいても、原稿読取面１１ａは、記録紙の長辺が奥行き方向Ｂに沿い、且つ、短辺が左右方向Ａに沿うように構成することができる。
なお、上述のように最大原稿サイズがLetterサイズ，Ｂ４サイズであるように構成した場合は、ＡＤＦ方式によって、それぞれLedgerサイズ，Ｂ３サイズの原稿を読み取り可能となる。
【００６７】
次に、本発明の第２の実施形態を図６及び図７を参照して説明する。図６は画像処理装置の正面図、図７は画像処理装置の構成を示す正面側から見た説明図である。なお、第１の実施形態と重複する説明は省略し、主に相違する構成について説明する。
図６に示すように、本実施形態の複合機１Ａは、第１の実施形態の複合機１に第２の給紙カセット４５及びフィニッシャー装置７０が追加された構成である。
【００６８】
また、排出部５０の胴内排出空間５１内の上側部分に、中継ユニット５５が取り付けられている。この中継ユニット５５は、図７に示すように、画像記録部２０の排出ローラ２９から排出される記録紙をフィニッシャー装置７０へ搬送するものであり、モータ駆動される複数の搬送用ローラ５６を備えている。
【００６９】
第２の給紙カセット４５は、給紙カセット４１の下部に取付けられている。給紙カセット４１は最大原稿サイズであるＡ４サイズまでの大きさの記録紙を収容するが、追加された第２の給紙カセット４５は、最大原稿サイズよりも大きい拡張サイズ（Ａ３サイズ）の大きさの記録紙を収容することができる。したがって、第２の給紙カセット４５は、給紙カセット４１よりもサイズが大きい。
【００７０】
詳しくは、第２の給紙カセット４５は、収納するＡ３サイズの記録紙の短辺方向が装置本体２の奥行き方向Ｂに沿い、長辺方向が装置本体２の左右方向Ａに沿うように記録紙を収容する。したがって、給紙カセット４１及び４５がそれぞれ収納可能な最大サイズの記録紙を収容した状態において、第２の給紙カセット４５内の記録紙３ａの奥行き方向Ｂの長さ（Ａ３の短辺）は、給紙カセット４１内の記録紙３の奥行き方向Ｂの長さ（Ａ４の長辺）と同じである。よって、給紙カセット４１及び４５の奥行き方向Ｂの長さは同じに構成されている。
【００７１】
一方、給紙カセット４１及び４５がそれぞれ収納可能な最大サイズの記録紙を収容した状態において、第２の給紙カセット４５内の記録紙３ａの左右方向Ａの長さ（Ａ３の長辺）は、給紙カセット４１内の記録紙３の左右方向Ａの長さ（Ａ４の短辺）の２倍である。よって、第２の給紙カセット４５の左右方向Ａの長さは、給紙カセット４１の左右方向Ａの長さよりも長い。このため、図６に示された複合機１Ａでは、第２の給紙カセット４５が、給紙カセット４１及び装置本体２よりも平面視で左方向に突出している。フィニッシャー装置７０は、装置本体２よりも左右方向Ａに突出した第２の給紙カセット４５の突出部分４６に載置されている。
【００７２】
図７に示すように、画像記録部２０には、第２の給紙カセット４５内の記録紙３ａを取り出すための給紙ローラ２７ｃが付加されている。第２の給紙カセット４５に収容された記録紙３ａは、制御部の駆動信号によって給紙ローラ２７ｃが作動することにより、画像記録部２０へ送り込まれる。
【００７３】
フィニッシャー装置７０は、画像記録部２０から排出され、中継ユニット５５を介して搬送された記録紙を処理する。フィニッシャー装置７０は、外形略矩形の縦長な筐体７１と、筐体７１内に垂直方向に配列された複数の排紙トレイ７３と、複数の排紙トレイ７３に排紙原稿を振り分ける切替ガイド機構７５を備えている。筐体７１の上面は、装置本体２の上面（すなわち、原稿載置板１１の上面）と略同じ高さに設定されている。
【００７４】
切替ガイド機構７５は、駆動ローラ７５ａと、切替ガイド７５ｂと、各排紙トレイ７３に対応した複数の排出ローラ７５ｃを備えており、これらはモータ駆動される。切替ガイド７５ｂと各排出ローラ７５ｃとの間には搬送経路が形成されている。
【００７５】
フィニッシャー装置７０は、原稿が搬送されてくると、制御部からの駆動信号に基づいて切替ガイド機構７５が作動する。切替ガイド機構７５は、切替ガイド７５ｂが排紙原稿毎に排紙原稿を送り込む搬送経路を切り替えることにより、所望の排紙トレイ７３へ排紙原稿を送り込む。
なお、図６及び図７の実施形態では、理解の容易のため、排紙トレイ７３が２つのみの場合を示したが、これに限らず、３つ又はそれ以上の排紙トレイを備えてもよい。
【００７６】
また、本実施形態では、ＡＤＦ３０が装置本体２の上面の左端部に配置されているが、フィニッシャー装置７０の上部には位置していない。換言すると、ＡＤＦ３０は、少なくとも排紙トレイ７３の上方方向の昇降動作を妨げる位置に配置されていない。したがって、本実施形態では、排紙トレイ７３が固定された高さに維持されるが、これに限らず、多段構成の排紙トレイ７３が上下方向に昇降することにより、排紙原稿を振り分ける構成とすることができる。このような昇降式の振り分け機構を設ける場合、多段構成の排紙トレイ７３のうち、少なくとも上方の排紙トレイ７３が、原稿載置板１１を越えて上方に移動するように構成することができる。
【００７７】
また、本実施形態では、フィニッシャー装置７０は、排出原稿の仕分け機能を備えているが、これに限らず、ステープラー留め、孔空け等の機能を備えたものであってもよい。
【００７８】
このように、本実施形態では、最大記録紙サイズ（Ａ４サイズ）よりも大きな拡張サイズ（Ａ３サイズ）の記録紙を収容する第２の給紙カセット４５を設けたことにより、装置本体２から突出する部分４６が生じるが、この突出部分４６にフィニッシャー装置７０を載置することができる。すなわち、本実施形態の複合機１Ａは、Ａ３機と同等な設置面積であるにもかかわらずフィニッシャー装置７０を備えることができる。
したがって、本実施形態の複合機１Ａでは、従来のＡ３機のようにフィニッシャー装置を追加することにより、更に設置面積が大きくなることがなく、装置全体をコンパクトに構成することができる。
【００７９】
また、本実施形態の複合機１Ａは、Ａ３機と同等な設置面積であり、Ａ３サイズの原稿の読取処理も行うことができるにもかかわらず、画像読取部１０のサイズをＡ４機と同等のサイズにすることができる。これにより、製造コストを低減することが可能となる。
【００８０】
また、本実施形態の複合機１Ａでは、装置本体２と独立したフィニッシャー装置７０を隣接して配置することができるので、フィニッシャー装置７０の高さが装置本体２によって制限されることがない。このため、フィニッシャー装置７０は、高さ制限のために各種機能や排紙トレイの数が限定されることもなく、充分な機能を備えることができる。
【００８１】
また、本実施形態の複合機１Ａでは、ＡＤＦ３０とフィニッシャー装置７０が、共に装置本体２の左右方向の同じ側（本例では左側）に配置されているので、装置本体２の同一側でＡＤＦ３０とフィニッシャー装置７０から原稿や記録紙を取り出すことができる。なお、ＡＤＦ及びフィニッシャー装置７０を装置本体２の右側に配置した構成としてもよい。
【００８２】
次に、図８を参照して、第２の実施形態の変形例について説明する。
図８に示す複合機１Ｂは、装置本体２Ａが、上記実施形態の複合機１及び１Ａの装置本体２（画像読取部１０を除いて）と左右対称に構成されている。排出部５０Ａ，中継ユニット５５Ａも、排出部５０，中継ユニット５５とそれぞれ左右対称に構成されている。
【００８３】
また、同様に、給紙部４０Ａ（給紙カセット４１Ａ，第２の給紙カセット４５Ａ）が、給紙部４０（給紙カセット４１，第２の給紙カセット４５）と左右対称に構成されている。このため、突出部分４６Ａが装置本体２Ａの右側に位置し、フィニッシャー装置７０Ａ（フィニッシャー装置７０と左右対称）も装置本体２Ａの右側に位置する。
【００８４】
本実施形態では、ＡＤＦ３０と排出部５０Ａの胴内排出空間５１Ａとが、装置本体２Ａの左右方向の反対側にそれぞれ配置されている（本例では、ＡＤＦ３０が左側、胴内排出空間５１Ａが右側）。このため、装置本体２Ａの剛性の高い構造体部分の上部にＡＤＦ３０が配置されることになるので、装置全体の剛性を高めることができる。なお、ＡＤＦを右側、胴内排出空間を左側に配置した構成としてもよい。
【００８５】
次に、図９を参照して、第２の実施形態の更なる変形例について説明する。
図９に示す複合機１Ｃは、図８に示した複合機１Ｂを更に改良したものである。この複合機１Ｃは、フィニッシャー装置７０Ａの筐体７１Ａの上部に延長排紙トレイ３７Ａを備えている。この延長排紙トレイ３７Ａは、ＡＤＦ３０が有する排紙トレイ３７に隣接し、これと連続するように配置されている。延長排紙トレイ３７Ａは、その原稿載置面の傾きが排紙トレイ３７の原稿載置面の傾きと同角度になるように配置されており、排紙トレイ３７の原稿載置領域を延長するように構成されている。
【００８６】
例えば、Ａ３サイズの原稿をＡＤＦ３０で読み込む際に、排紙トレイ３７だけでは排紙されたＡ３サイズの原稿を収容しきれない場合がある。このため、本実施形態では、フィニッシャー装置７０Ａの上部空間を有効利用して、この空間に延長排紙トレイ３７Ａを設けている。これにより、延長排紙トレイ３７Ａによって原稿載置領域が拡大されるので、Ａ３サイズの原稿を確実に収容することができる。
【００８７】
なお、本実施形態では、フィニッシャー装置７０Ａの上に、延長排紙トレイ３７Ａが配置されているが、ＡＤＦ３０の給紙トレイ３１の原稿載置領域を拡大するように延長給紙トレイを更に設けてもよいし、延長排紙トレイ３７Ａ及び延長給紙トレイの一方のみを設けてもよい。
【符号の説明】
【００８８】
１，１Ａ，１Ｂ，１Ｃ  画像処理装置（複合機）
２，２Ａ  装置本体
３，３ａ  記録紙
１０    画像読取部
１１ａ  原稿読取面
１３    原稿読取ユニット
２０    画像記録部
２１    感光ドラム
３０    原稿送出部
３６    透光板
４０，４０Ａ  給紙部
４１，４１Ａ  （第１の）給紙カセット
４３    手差しトレイ
４５，４５Ａ  （第２の）給紙カセット
４６，４６Ａ  突出部分
５０，５０Ａ  排出部
５５，５５Ａ  中継ユニット
６０    操作部
７０，７０Ａ  フィニッシャー装置
Ａ    左右方向（副走査方向）
Ｂ    奥行き方向（主走査方向）
【図１】
0006032390.tif 000002
【図２】
0006032390.tif 000003
【図３】
0006032390.tif 000004
【図４】
0006032390.tif 000005
【図５】
0006032390.tif 000006
【図６】
0006032390.tif 000007
【図７】
0006032390.tif 000008
【図８】
0006032390.tif 000009
【図９】
0006032390.tif 000010